(57)【要約】【課題】デコンプピン移動用カムが回転する行程でシリンダ内の圧縮圧力を低減できる期間を長くとることができるようにする。【解決手段】排気カム軸７の中空孔２１内に回動自在に嵌合されたデコンプシャフト２４と、このデコンプシャフト２４を回動させる回動装置２５とを備える。デコンプシャフト２４の回動により排気カム軸７の径方向端部から突出するデコンプピン２２を備える。前記デコンプピン２２には凹溝４２が形成され、デコンプシャフト２４の軸方向の端面には偏心突部３２が形成される。この偏心突部３２が前記凹溝４２の壁面と摺接することによりデコンプシャフト２４の回動をデコンプピン２２の往復運動に変えるカム機構４５を備える。前記偏心突部３２における前記凹溝４２の壁面に摺動する部位に、デコンプシャフト２４の軸心を中心とする断面円弧状の凸曲面３３を形成した。【選択図】  図５
2006144627.tif 000002
【特許請求の範囲】
【請求項１】
中空孔を有する動弁カム軸と、前記動弁カム軸の中空孔内に回動自在に嵌合されたデコンプシャフトと、前記デコンプシャフトを前記動弁カム軸に対して回動させる回動装置と、前記デコンプシャフトの回動により、動弁カム軸の径方向端部から突出するデコンプピンとを備えたエンジンのデコンプ装置であって、前記デコンプピンには、前記デコンプシャフトの軸端部と対向する側で前記動弁カム軸の軸線方向とは直交する方向に延びる凹溝が形成され、前記デコンプシャフトの軸方向の端面には、前記デコンプシャフトの軸心に対し径方向に偏心した位置で突設する偏心突部が形成され、前記偏心突部が前記凹溝の壁面と摺接することにより前記デコンプシャフトの回動を前記デコンプピンの往復運動に変えるカム機構を備え、前記偏心突部における前記デコンプピンの凹溝の壁面に摺動する部位に、前記デコンプシャフトの軸心を中心とする断面円弧状の凸曲面を形成したことを特徴とするエンジンのデコンプ装置。
【請求項２】
請求項１記載のエンジンのデコンプ装置において、デコンプシャフトの回転行程のうち、前記デコンプピンの動弁カム軸の径方向の端部からの突出量が最大となる初期位置から突出量が最小となる通常運転位置までの間の前半の行程において、前記断面円弧状の凸曲面は前記凹溝に摺接することを特徴とするエンジンのデコンプ装置。
【請求項３】
請求項１記載のエンジンのデコンプ装置を装備した自動二輪車。
【発明の詳細な説明】
【技術分野】
【０００１】
本発明は、エンジン始動初期にシリンダ内の圧縮圧力を低減させるエンジンのデコンプ装置および自動二輪車に関するものである。
【背景技術】
【０００２】
従来のデコンプ装置としては、例えば特許文献１に開示されたものがある。この特許文献１に示されたデコンプ装置は、エンジンの動弁カム軸内にその軸線方向に延びる状態で回動自在に支持されたデコンプシャフトと、前記動弁カム軸に径方向に延びる状態で移動自在に支持されたデコンプピンとによって排気弁を開き、シリンダ内の圧縮圧力を低減させる構成が採られている。
【０００３】
前記デコンプシャフトは、動弁カム軸の軸心部に軸線方向に延びるように穿設された挿通孔に回動自在に挿通されている。このデコンプシャフトの一端側には、遠心ウェイトを有する駆動手段が連結され、他端側には、デコンプピンの位置を変えるためのカムが設けられている。
【０００４】
前記駆動手段は、動弁カム軸と一体に回転する遠心ウェイトが遠心力により径方向の外側に変位することによって、デコンプシャフトを初期位置から通常運転位置まで回すように構成されている。また、この駆動手段は、動弁カム軸の回転が低下したときに、復帰用ばねの弾発力によって遠心ウェイトとともにデコンプシャフトを通常運転位置から初期位置に戻す。この駆動手段により、デコンプシャフトは、エンジン始動時に動弁カム軸が停止状態から低速で回転するようになるまでの間は復帰用ばねの弾発力によって初期位置に位置付けられ、エンジンの回転数が所定回転数に上昇した後は遠心ウェイトによって回されて通常運転位置に位置付けられる。
【０００５】
このデコンプシャフトのカムは、断面円形のデコンプシャフトの外周部分と、この外周部分の一部に形成された平坦面とによって構成されている。
前記デコンプピンは、カム軸の径方向に延びるピン孔に移動自在に嵌合されている。このピン孔は、デコンプシャフト用挿通孔から径方向の一方に延びるように形成されている。すなわち、この従来のデコンプ装置は、デコンプシャフトの軸線方向から見てデコンプピンの軸線の延長線がデコンプシャフトの軸心を通るように構成されている。
【０００６】
前記デコンプピンは、動弁カム軸のカムの近傍に突出し排気弁を押す押圧部が一端に形成され、他端に、デコンプシャフトのカムが摺接するカムフォロアを構成する平坦面が形成されている。また、デコンプピンは、動弁カム軸の外周部に周方向に延びるように形成されたＣ字状のばねに係合されており、このばねによってデコンプシャフト側に付勢されている。
【０００７】
このように構成された従来のデコンプ装置においては、デコンプシャフトが前記初期位置に位置付けられ、カムの一部を構成するデコンプシャフトの外周部分がデコンプピンの前記平坦面に接触することによって、デコンプピンの押圧部が動弁カム軸から突出する。この状態では、デコンプピンによって排気弁が開かれ、シリンダ内の圧縮圧力が低減される。
また、このデコンプ装置においては、デコンプシャフトが前記初期位置から通常運転位置まで回り、前記カムの平坦部分がデコンプピンの平坦面に接触することによって、デコンプピンが動弁カム軸内に後退する。この状態では、エンジンは通常の運転状態になる。
なお、本出願人は、本明細書に記載した先行技術文献情報で特定される先行技術文献以外には、本発明に密接に関連する先行技術文献を出願時までに見付け出すことはできなかった。
【特許文献１】特開平５−２６０１７号公報（第２−４頁、第７図）
【発明の開示】
【発明が解決しようとする課題】
【０００８】
特許文献１に示された従来のデコンプ装置は、シリンダ内の圧縮圧力が低減される期間が短縮されてしまうことがあった。このような場合には、エンジン始動時にクランキングを行うときの負荷が大きくなり、始動性が著しく低下することになる。
従来のデコンプ装置において、シリンダ内の圧縮圧力が低減される期間が短くなるのは、デコンプピンが初期位置から通常運転位置まで回る行程において、カム（デコンプシャフト）が排気弁用バルブスプリングの弾発力によって強制的に通常運転位置に回されるからであった。
【０００９】
このデコンプ装置は、デコンプシャフトの軸線方向から見てデコンプピンの軸線の延長線がデコンプシャフトの軸心を通るように構成されているから、デコンプシャフトが初期位置に位置している場合、カムとデコンプピンとの接触点がデコンプピンの軸線の延長線上に位置する。この状態では、排気弁用バルブスプリングの弾発力が前記デコンプピンからデコンプシャフトに前記軸線に沿って作用する。
【００１０】
しかし、デコンプシャフトが初期位置から通常運転位置に向けて回り始めると、カムの外周部分と平坦面との境界部分がデコンプピンに接触し、さらに回転することによって、この接触点がデコンプピンの軸線上からデコンプシャフトの回転する方向へ移動するようになる。このように前記接触点がデコンプピンの軸線上から外れることにより、カムを通常運転位置に向けて回転させる回転トルクが発生する。
【００１１】
前記カム（デコンプシャフト）は、遠心ウェイトに作用する遠心力と復帰用ばねの弾発力との差に対応して回転するものであるから、上述した回転トルクが生じると容易に通常運転位置側に回転してしまう。この結果、このデコンプ装置においては、上述したようにデコンプピンによって排気弁を開く期間が短くなってしまう。
【００１２】
本発明はこのような問題を解消するためになされたもので、デコンプピン移動用カムが回転する行程でシリンダ内の圧縮圧力を低減できる期間を長くとることができるエンジンのデコンプ装置を提供することを目的とする。
【課題を解決するための手段】
【００１３】
この目的を達成するために、本発明に係るエンジンのデコンプ装置は、中空孔を有する動弁カム軸と、前記動弁カム軸の中空孔内に回動自在に嵌合されたデコンプシャフトと、前記デコンプシャフトを前記動弁カム軸に対して回動させる回動装置と、前記デコンプシャフトの回動により、動弁カム軸の径方向端部から突出するデコンプピンとを備えたエンジンのデコンプ装置であって、前記デコンプピンには、前記デコンプシャフトの軸端部と対向する側で前記動弁カム軸の軸線方向とは直交する方向に延びる凹溝が形成され、前記デコンプシャフトの軸方向の端面には、前記デコンプシャフトの軸心に対し径方向に偏心した位置で突設する偏心突部が形成され、前記偏心突部が前記凹溝の壁面と摺接することにより前記デコンプシャフトの回動を前記デコンプピンの往復運動に変えるカム機構を備え、前記偏心突部における前記デコンプピンの凹溝の壁面に摺動する部位に、前記デコンプシャフトの軸心を中心とする断面円弧状の凸曲面を形成したものである。
【００１４】
請求項２に記載した発明に係るエンジンのデコンプ装置は、請求項１に記載した発明に係るエンジンのデコンプ装置において、デコンプシャフトの回転行程のうち、前記デコンプピンの動弁カム軸の径方向の端部からの突出量が最大となる初期位置から突出量が最小となる通常運転位置までの間の前半の行程において、前記断面円弧状の凸曲面は前記凹溝に摺接するものである。
【００１５】
請求項３に記載した発明に係る自動二輪車は、請求項１に記載した発明に係るエンジンのデコンプ装置を装備しているものである。
【発明の効果】
【００１６】
本発明によれば、偏心突部の凸曲面と凹溝の壁面との接触点は動弁カム軸方向から見てデコンプピンの軸線上に位置するから、前記凸曲面が前記凹溝の壁面に接触している状態では、デコンプピンに加えられたバルブスプリングの弾発力により前記偏心突部を回転させる回転トルクは発生しない。このため、デコンプピンの回動範囲の中にいわゆる不感作動帯が形成されるから、デコンプピンが動弁カム軸から突出する帰還を長くできる。
したがって、エンジン始動時において一定期間は必ずデコンプピンが動弁カム軸から突出することによりシリンダ内の圧縮圧力を軽減し、エンジンの始動性を向上させることができる。
【００１７】
請求項２記載の発明によれば、エンジン停止状態からデコンプシャフトの総回転角度の約半分だけデコンプシャフトが回転するまでの間は、デコンプピンを動弁カム軸から確実に突出可能となる。
したがって、エンジンのクランキング開始時には必ずシリンダ内の圧力が低くなり、エンジンの始動がより一層容易になる。
【００１８】
請求項３記載の発明によれば、エンジンの始動時に一定期間は必ずシリンダ内の圧縮圧力が低減されるから、エンジンの始動が容易な自動二輪車を提供することができる。
【発明を実施するための最良の形態】
【００１９】
以下、本発明に係るエンジンのデコンプ装置および自動二輪車の一実施の形態を図１ないし図７によって詳細に説明する。
図１は本発明に係るデコンプ装置を装備した自動二輪車用エンジンのシリンダヘッド部分を示す構成図、図２はデコンプシャフトを示す図で、同図（ａ）は、同図（ｂ）は側面図、同図（ｃ）は背面図である。図３は回動装置の正面図、図４は本発明に係るデコンプ装置の縦断面図、図５はデコンプシャフトとデコンプピンの動作を説明するための断面図で、同図（ａ）は初期状態を示し、同図（ｂ）は偏心突部の凸曲面の終端部がデコンプピンに接触する状態を示し、同図（ｃ）は通常運転状態を示す。なお、図５の破断位置を図４中にV−V線によって示す。図６はデコンプシャフトの回転角度とデコンプピンを初期位置側へ押圧する力（デコンプピン移動力）との関係を示すグラフ、図７はデコンプシャフトの回転角度とデコンプシャフトを逆方向に回転させる回転トルク（デコンプシャフト逆回転トルク）との関係を示すグラフである。
【００２０】
これらの図において、符号１で示すものは、この実施の形態による自動二輪車用エンジンのシリンダヘッドを示す。このシリンダヘッド１には、吸・排気弁２，３を開閉する動弁装置４が設けられている。また、このシリンダヘッド１には、エンジン始動時にシリンダ内の圧縮圧力を低減させるデコンプ装置５が設けられている。
【００２１】
前記動弁装置４は、１気筒当たり２本ずつ設けられた吸気弁２と排気弁３とを吸気カム軸６と排気カム軸７とによって開閉するように構成されている。吸気弁２と排気弁３は、バルブリフタ８とシリンダヘッド１との間に弾装されたバルブスプリング（図示せず）の弾発力によって閉じ、このバルブスプリングの弾発力に抗してバルブリフタ８が吸気カム軸６のカム９または排気カム軸７のカム１０により押圧されることによって開く。
吸気カム軸６と排気カム軸７は、軸線方向の一端部（以下、この一端部を基端部という）にスプロケット１１，１２が取付けられ、このスプロケット１１，１２に巻掛けられたタイミングチェーン１３によってクランク軸（図示せず）の回転が伝達される。
【００２２】
前記排気カム軸７は、図４に示すように、軸心部に中空孔２１が穿設され中空状に形成されており、軸線方向の先端部と中央部とにカム１０が設けられている。このカム１０のうち、排気カム軸の先端部に位置するカムを符号１０ａで示し、中央部に位置するカムを符号１０ｂで示す。この排気カム軸７によって本発明でいう動弁カム軸が構成され、前記中空孔２１によって本発明でいう中空部が構成されている。また、この排気カム軸７の軸線方向の中央部であって中央部のカム１０ｂと隣接する部位には、後述するデコンプ装置５のデコンプピン２２が挿通されるピン孔２３が穿設されている。このピン孔２３は、排気カム軸７の軸線方向とは直交する方向に延びている。
【００２３】
前記ピン孔２３は、排気カム軸７に設けられた２個のカム１０ａ，１０ｂのうち、排気カム軸７の中央部に位置するカム１０ｂに隣接する位置であって、このカム１０ｂより排気カム軸７の基端部側に形成されている。また、このピン孔２３は、図５に示すように、排気カム軸７の軸線方向から見て中心線Ｌが排気カム軸７の軸心Ｃ１を通るように形成されている。なお、図５に示す排気カム軸７は軸部分のみが描いてある。
【００２４】
デコンプ装置５は、図３および図４に示すように、前記排気カム軸７の中空孔２１内に挿通されたデコンプシャフト２４と、このデコンプシャフト２４の一端部（排気カム軸７の基端部側の端部）に接続された回動装置２５と、デコンプシャフト２４の他端部に連結された前記デコンプピン２２などによって構成されている。
【００２５】
前記デコンプシャフト２４は、図２に示すように、一端部（排気カム軸７の基端部側の端部）に位置する円板２６と、他端部に位置する円板２７と、これら両円板２６，２７に一体に形成され前記両円板どうしを接続する小径のロッド２８とによって形成されている。このデコンプシャフト２４の長さは、排気カム軸７の基端部から中央側の排気弁用カム１０ｂまで延びるように形成されている。
【００２６】
このデコンプシャフト２４の両端部の円板２６，２７の外径は、排気カム軸７の中空孔２１に回動自在に嵌合できるように形成されている。
前記デコンプシャフト２４の一端側に位置する円板２６の外端面には、後述する回動装置２５の遠心ウェイト２９（図３および図４参照）に連結される係合用溝３０が形成されるとともに、遠心ウェイト２９の初期位置を決めるためのストッパー３１が突設されている。前記係合用溝３０は、図２（ａ）に示すように、円板２６の外周部から径方向の内側に延びるように形成されている。前記ストッパー３１は、図２（ａ）および図３に示すように、デコンプシャフト２４の軸線方向から見て扇状であって、外周部が円板２６から突出するように形成されている。
【００２７】
デコンプシャフト２４の前記他端部の円板２７には、後述するデコンプピン２２に連結される偏心突部３２が軸線方向の外側に延びるように突設されている。
この偏心突部３２は、図２に示すように、外径より長さの方が短い円柱状に形成されており、前記円板２８の外端面であって、デコンプシャフト２４の軸線に対して径方向に偏心した位置に設けられている。この偏心突部３２の外周面の一部｛後述する凹溝４２の下壁（下側の壁面）４３に摺動する部位｝には、他の部位とは曲率半径が異なる凸曲面３３が形成されている。
【００２８】
この凸曲面３３は、図２（ｃ）に示すように、デコンプシャフト２４の軸心（円板２７の中心）を中心とする断面円弧状に形成されている。この凸曲面３３を構成する円弧の半径を図２（ｃ）中に符号ｒで示す。この実施の形態では、デコンプシャフト２４は排気カム軸７と同一軸線上に位置しているから、凸曲面３３の中心Ｃ２（デコンプシャフト２４の軸心）は、排気カム軸７の軸心Ｃ１｛図５（ａ）参照｝と一致する。
【００２９】
このデコンプシャフト２４を駆動する回動装置２５は、図３および図４に示すように、排気カム軸７の前記スプロケット１２に支軸３４によって回動自在に支持された遠心ウェイト２９と、前記支軸３４に保持された復帰用ばね３５とから構成されている。前記支軸３４は、図４に示すように、スプロケット１２の軸心から径方向に偏心した位置に配設されている。
【００３０】
前記遠心ウェイト２９は、図３に示すように、排気カム軸７の軸線方向から見て支軸３４から円弧状に延びるように形成されたウェイト本体３６と、支軸３４からスプロケット１２の軸心側へ延びるように形成された駆動用アーム３７とを備えており、スプロケット１２の外端面に形成された円形凹部３８の中に収容されている。
【００３１】
この遠心ウェイト２９は、排気カム軸７と一体に回転することにより生じる遠心力により、図３において、スプロケット１２に対して支軸３４を中心にして時計方向に回るように構成されている。この遠心ウェイト２９の回動方向の一側部であって前記円形凹部３８の周壁面と対向する外縁部３６ａは、スプロケット１２の軸線方向から見て前記周壁に沿う円弧状に形成されている。遠心ウェイト２９は、図３に示すように、この円弧状に形成された外縁部３６ａが前記周壁に当接することによって、遠心力による移動が規制される。
【００３２】
遠心ウェイト２９の前記駆動用アーム３７には、図４に示すように、排気カム軸７の軸線方向に沿って排気カム軸７の内方へ延びる駆動用ピン３９が突設されている。この駆動用ピン３９は、前記デコンプシャフト２４の一端部に形成された前記係合用溝３０内に嵌合する円柱状に形成されている。この実施の形態によるデコンプ装置５においては、駆動用ピン３９が遠心ウェイト２９とともにスプロケット１２に対して回動することによって、遠心ウェイト２９から回転力が駆動用ピン３９を介してデコンプシャフト２４に伝達され、デコンプシャフト２４が図５（ａ）に示す初期位置と図５（ｃ）に示す通常運転位置との間で回動する。
【００３３】
詳述すると、遠心ウェイト２９が図３中に実線で示す位置に移動している状態では、デコンプシャフト２４は図５（ｃ）に示す通常運転位置に位置付けられる。また、遠心ウェイト２９が図３中に二点鎖線で示す位置にある状態では、デコンプピン２２は図５（ａ）に示す初期位置に位置付けられる。
【００３４】
前記復帰用ばね３５は、トーションばねからなり、図３および図４に示すように、一端部３５ａが遠心ウェイト２９の前記外縁部３６ａに係合するとともに、他端部３５ｂが前記スプロケット１２に係合しており、遠心ウェイト２９を図３において反時計方向に付勢している。この復帰用ばね３５により付勢されている遠心ウェイト２９は、図３において二点鎖線で示すように、初期位置に位置付けられたデコンプシャフト２４のストッパー３１に当接することにより移動が規制される。
【００３５】
この回動装置２５においては、排気カム軸７の回転数が予め定めた回転数より低い場合は、復帰用ばね３５の弾発力によって遠心ウェイト２９が図３中に二点鎖線で示す初期位置に保持される。この遠心ウェイト２９は、排気カム軸７の回転が上昇し、加えられる遠心力が増大することによって、図３中に実線で示すように、復帰用ばね３５の弾発力に抗してスプロケット１２に対して時計方向へ揺動する。遠心ウェイト２９がこのように揺動することによって、駆動用ピン３９の位置が変化し、この駆動用ピン３９に係合する係合用溝３０を有するデコンプシャフト２４が排気カム軸７に対して回る。
【００３６】
このときのデコンプシャフト２４が回転する方向は、図３において時計方向になる。この実施の形態によるデコンプシャフト２４の前記偏心突部３２は、エンジン停止時には図５（ａ）に示す初期位置に位置し、エンジンのクランクキング開始直後に同図において時計方向に回り、エンジン始動後は図５（ｃ）に示す通常運転位置に保持される。
【００３７】
この偏心突部３２に連結される前記デコンプピン２２は、図５に示すように、排気カム軸７の外径と略等しい長さを有する円柱状に形成されており、排気カム軸７のピン孔２３に移動自在に嵌挿されている。このデコンプピン２２の一端部には、バルブリフタ８に摺接する球面からなる押圧面４１が形成されている。デコンプピン２２の軸線方向の途中には、前記デコンプシャフト２４の偏心突部３２が摺接する凹溝４２が形成されている。
【００３８】
この凹溝４２は、前記デコンプシャフト２４の軸端部と対向する側で排気カム軸７の軸線方向と直交する方向へ延び、かつ排気カム軸７の中空孔２１内に開口するように、デコンプピン２２の外周部に形成されている。この凹溝４２におけるデコンプピン２２の押圧面４１を有する一端部側に位置する一方の側壁（以下、この側壁を下壁４３という）と他方の側壁４４との間の開口幅（溝幅）は、偏心突部３２の外径（凸曲面３３とは別の部分の最大径）より僅かに大きくなるように形成されている。
【００３９】
この凹溝４２と、この凹溝４２に摺接する前記偏心突部３２とは、デコンプシャフト２４の回動をデコンプピン２２の往復運動に変えるカム機構４５を構成している。すなわち、デコンプシャフト２４が前記回動装置２５により排気カム軸７に対して回動させられることによって、図５（ａ）〜（ｃ）に示すように、カム機構４５によってデコンプピン２２がピン孔２３内で往復運動する。偏心突部３２とデコンプピン２２は、図５（ａ）に示すように、初期位置にデコンプシャフト２４が位置している状態で、偏心突部３２の凸曲面３３の一端部分が凹溝４２の下壁４３に接触し、デコンプピン２２の押圧面４１が排気カム軸７から突出するように構成されている。
【００４０】
前記凸曲面３３の一端部分とは、デコンプシャフト２４が図５（ａ）に示す初期位置から図５（ｃ）に示す通常運転位置に回るときに凸曲面３３の回転方向の前端部である。前記初期位置において、凸曲面３３と下壁４３との接触点Ａは、凸曲面３３がデコンプシャフト２４の軸心Ｃ２を中心とする断面円弧状に形成されているために、デコンプピン２２の軸線方向から見てピン孔２３の中心線Ｌ上（デコンプピン２２の軸線上）に位置付けられる。
【００４１】
デコンプシャフト２４が初期位置に位置している状態で排気カム軸７が回転することにより、デコンプピン２２によってバルブリフタ８が押され、圧縮行程で排気弁３が開いてシリンダ内の圧縮圧力が低減される。このとき、デコンプピン２２は、押圧面４１がバルブリフタ８に接触するために、バルブスプリングの弾発力によって図５（ａ）において上方へ押圧される。この押圧力は、デコンプピン２２から接触点Ａを通って偏心突部３２に加えられる。
【００４２】
デコンプシャフト２４が初期位置から通常運転位置に向けて図５において時計方向に回転することによって、前記凸曲面３３の下壁４３に対する位置も変わる。しかし、凸曲面３３を構成する円弧の中心はデコンプシャフト２４の軸心Ｃ２であるから、凸曲面３３と下壁４３との接触点Ａは、図５（ａ）〜（ｂ）に示すように、排気カム軸７の軸線方向から見て前記中心線Ｌ上の位置から変わることがない。
【００４３】
すなわち、図５（ａ）に示すように、凸曲面３３の一端部分が下壁４３に接触する初期位置と、図５（ｂ）に示すように、凸曲面３３の他端部分が下壁４３に接触する中間位置との間は、デコンプピン２２は、デコンプシャフト２４の回動とは無関係に初期位置に保持される。この実施の形態においては、デコンプシャフト２４は、初期位置から約４０°回転したときに前記中間位置に位置付けられるように構成されている。
【００４４】
図５（ｂ）に示す中間位置からデコンプシャフト２４がさらに回転すると、偏心突部３２の凸曲面３３に隣接する外周面３２ａが下壁４３に接触するようになり、偏心突部３２の移動に伴って接触点Ａが図５において左側に移動するとともにデコンプピン２２の排気カム軸７からの突出量が漸次減少する。このデコンプ装置５は、デコンプシャフト２４が図５（ｃ）に示す通常運転位置に位置付けられることによって、デコンプピン２２の前記突出量が０になるように構成されている。すなわち、デコンプシャフト２４が前記通常運転位置まで回転することにより、排気弁３が圧縮行程で開くことはなくなるから、エンジンを通常通りに運転することができるようになる。
【００４５】
この実施の形態によるデコンプ装置５は、デコンプシャフト２４が初期位置から約８０°回転することによって通常運転位置に位置するように構成されている。このため、前記凸曲面３３は、デコンプシャフト２４の回転行程のうち、前記デコンプピン２２の排気カム軸７の径方向の端部からの突出量が最大となる初期位置から突出量が最小となる通常運転位置までの間の前半の行程において、前記凹溝４２の下壁４３に摺接することになる。
【００４６】
このため、この実施の形態によるデコンプ装置５によれば、デコンプシャフト２４が図５（ａ）に示す初期位置から図５（ｂ）に示す中間位置に回転するまでの間は、偏心突部３２の凸曲面３３と凹溝４２の下壁４３との接触点Ａがデコンプピン２２の軸線上（ピン孔２３の中心線Ｌ上）に位置することから、デコンプピン２２に加えられたバルブスプリングの弾発力により前記偏心突部３２を通常運転位置側へ回転させる回転トルクは発生しない。したがって、このデコンプ装置５は、デコンプシャフト２４が初期位置から通常運転位置まで回転する行程の前半においてデコンプピン２２を軸線方向の同一位置（初期位置）に保持することができる。
【００４７】
この実施の形態によるデコンプ装置５において、デコンプシャフト２４が回転することによりデコンプピン２２が押される力（デコンプピン２２移動力）は図６に示すように変化する。また、このデコンプ装置５において、デコンプピン２２がバルブリフタ８によって押圧されたときにデコンプシャフト２４を通常運転位置側へ回転させるように生じる回転トルク（デコンプシャフト２４逆回転トルク）は図７に示すように変化する。図６および図７においては、偏心突部３２に凸曲面３３を設けた場合を破線で示し、偏心突部３２に凸曲面３３を設けない場合を実線で示す。
【００４８】
図６および図７から明らかなように、凸曲面３３を設けない場合は、デコンプシャフト２４の回転初期からデコンプピン２２に突出量が減少する方向へ押圧する力が作用するが、この実施の形態のように凸曲面３３を設けることによって、デコンプシャフト２４が初期位置から約４０°回転するまでの間はデコンプピン２２を移動させる力は発生しないことが判る。
【００４９】
したがって、この実施の形態によるデコンプ装置５は、デコンプシャフト２４の回動範囲の中にいわゆる不感作動帯が形成されることになるから、その分だけデコンプピン２２が排気カム軸７から突出している期間を従来のデコンプ装置に較べて長くとることができる。このため、この実施の形態によるデコンプ装置５は、エンジン始動時において一定期間は必ずデコンプピン２２が排気カム軸７から突出し、シリンダ内の圧縮圧力を軽減することができる。この結果、このデコンプ装置５を自動二輪車のエンジンに装備することによって、エンジンの始動性が良い自動二輪車を製造することができる。
【００５０】
また、この実施の形態によるデコンプ装置５は、エンジンが停止している状態からデコンプシャフト２４の総回転角度の約半分（約４０°）だけデコンプシャフト２４が回転するまでの間は、デコンプピン２２を排気カム軸７から確実に突出させておくことができる。このため、この実施の形態によるデコンプ装置５によれば、エンジンのクランキング開始時は必ずシリンダ内の圧縮圧力が低い状態になるから、より一層エンジンの始動が容易になる。
【図面の簡単な説明】
【００５１】
【図１】本発明に係るデコンプ装置を装備した自動二輪車用エンジンのシリンダヘッド部分を示す構成図である。
【図２】デコンプシャフトを示す図である。
【図３】回動装置の正面図である。
【図４】本発明に係るデコンプ装置の縦断面図である。
【図５】デコンプシャフトとデコンプピンの動作を説明するための断面図である。
【図６】デコンプシャフトの回転角度とデコンプピン移動力との関係を示すグラフである。
【図７】デコンプシャフトの回転角度とデコンプシャフト逆回転トルクとの関係を示すグラフである。
【符号の説明】
【００５２】
３…排気弁、５…デコンプ装置、７…排気カム軸、８…バルブリフタ、２１…貫通孔、２２…デコンプピン、２３…ピン孔、２４…デコンプシャフト、２５…回動装置、２９…遠心ウェイト、３２…偏心突部、３３…凸曲面、４２…凹溝、４３…下壁。
【図１】
2006144627.tif 000003
【図２】
2006144627.tif 000004
【図３】
2006144627.tif 000005
【図４】
2006144627.tif 000006
【図５】
2006144627.tif 000007
【図６】
2006144627.tif 000008
【図７】
2006144627.tif 000009